(57)【要約】【課題】天井及び家具に対する圧接領域を広げて家具の転倒防止効果を向上させ、又室内や家具との調和がとれた見栄えの良い家具転倒防止具を提供する。【解決手段】家具Ｋに対する圧接面2aを家具Ｋの幅方向に長く形成した台座２と、天井Ｃに対する圧接面3aを家具Ｋの幅方向に長く形成すると共に、室内壁面Ｗに対向した直立板材から成る押圧体３と、該押圧体３と台座２とを連結すると共に、押圧体３を高さ調整自在に支持する高さ調整手段４とから構成することにより、押圧体３の天井Ｃに対する圧接面3a及び台座２の家具Ｋに対する圧接面2aの領域を家具Ｋの幅方向に長く広げて家具Ｋの転倒防止機能を向上させると共に、押圧体３が室内及び家具Ｋと調和した壁と見受けられる様にする。【選択図】図３
2007007237.tif 000002
【特許請求の範囲】
【請求項１】
家具の上面に設置される台座と、天井に対する圧接面を家具の幅方向に長く形成した押
圧体と、該押圧体と台座とを連結すると共に、押圧体を高さ調整自在に支持する高さ調整
手段とから成ることを特徴とする家具転倒防止具。
【請求項２】
台座は、家具に対する圧接面を家具の幅方向に長く形成したことを特徴とする請求項１
記載の家具転倒防止具。
【請求項３】
押圧体は、室内壁面に対向した直立板材から成ることを特徴とする請求項１又は２記載
の家具転倒防止具。
【請求項４】
台座は、後端を室内壁面との当接面と成し、該当接面より所定間隔を設けた前方に押圧
体を対応配置したことを特徴とする請求項１、２又は３記載の家具転倒防止具。
【請求項５】
押圧体において、高さ調整手段との付け根に対応する背部には、室内壁面に当接する凸
部を設けたことを特徴とする請求項１、２、３又は４記載の家具転倒防止具。
【請求項６】
高さ調整手段は、回転操作部の上下に左右反対の螺子を有する螺子棒を夫れ突設した操
作杆を２本以上設けると共に、該操作杆の各螺子棒を台座と押圧体の夫れに螺挿したこと
を特徴とする請求項１、２、３、４又は５記載の家具転倒防止具。
【発明の詳細な説明】
【技術分野】
【０００１】
本発明は、地震対策用の家具転倒防止具に関する。
【背景技術】
【０００２】
従来、この種の家具転倒防止具としては、室内家具の上面と天井との間に伸縮支持螺杆
を介装したものが見受けられる（例えば、特許文献１参照）。
この伸縮支持螺杆は、伸縮自在な連結杆の上下端の夫れに天井と家具上面に当接する略
円盤状のベースを設けている。
連結杆は、各ベースに一端を取付けた所定長さの螺子棒の他端側をパイプの各端部より
進退自在に挿入すると共に、各螺子棒のベース取付け側には、パイプの各端部より螺子棒
が所定長さ突出する様に、パイプより大径のナットが螺合されている。
そして、各螺子棒におけるナットの位置を調整することにより、各螺子棒のパイプ端部
からの突出長さを設定して各ベースが天井と家具上面に当接する様に成している。
これにより、伸縮支持螺杆は、天井と家具との間隙に介装されることで家具を支持し、
地震時における家具転倒の防止を図っている。
【特許文献１】登録実用新案第３０２１１３６号公報
【発明の開示】
【発明が解決しようとする課題】
【０００３】
しかしながら、上記の様な伸縮支持螺杆から成るものでは、棒状の連結杆で家具を支持
しているので、連結杆の端部周囲でベースが天井及び家具を圧接しているに過ぎず、ベー
スの家具等に対する圧接力が連結杆の周囲に限定されるため、家具の転倒防止効果が弱く
、又地震で家具が横滑りすると、伸縮支持螺杆が横に傾いて天井と家具の間隙から外れて
家具を支持できなくなる危険を招来している。
そのため、家具の大きさにもよるが、複数本の伸縮支持螺杆を用意して家具の幅方向に
並設せねば充分な家具転倒防止効果が期待できない。
更に、上記伸縮支持螺杆は、その設置状態では棒状のものが家具上より天井に渡って突
出した形態をとるため、見栄えが悪く、室内や家具との調和がとれず、室内装飾性を損な
う課題をも有している。
【課題を解決するための手段】
【０００４】
本発明は、上記課題に鑑み、家具の上面に設置される台座と、天井に対する圧接面を家
具の幅方向に長く形成した押圧体と、該押圧体と台座とを連結すると共に、押圧体を高さ
調整自在に支持する高さ調整手段とから構成することにより、押圧体の天井に対する圧接
面の領域を家具の幅方向に長く広げ、家具の転倒防止機能を向上させる。
又、台座は、家具に対する圧接面を家具の幅方向に長く形成することで、台座の家具に
対する圧接面の領域を上記と同様に広げ、更に家具の転倒防止機能を向上させる。
又、押圧体は、室内壁面に対向した直立板材から形成することにより、設置状態では押
圧体が家具と調和した壁と見受けられる様にする。
更に、台座は、後端を室内壁面との当接面と成し、該当接面より所定間隔を設けた前方
に押圧体を対応配置することにより、地震時に家具が倒れ難い位置に容易に設置させられ
ると共に、天井と室内壁面との交わる部位に取付けられた回り縁に干渉しない様に押圧体
を高さ調整可能とする。
又、押圧体において、高さ調整手段との付け根に対応する背部には、室内壁面に当接す
る凸部を設けることにより、地震による振動の影響が大きい前記付け根が激しく揺れるの
を防止する。
高さ調整手段は、回転操作部の上下に左右反対の螺子を有する螺子棒を夫れ突設した操
作杆を２本以上設けると共に、該操作杆の各螺子棒を台座と押圧体の夫れに螺挿すること
により、押圧体の上下動を簡単に設定すると共に、強大な圧接力で以て家具を支持する。
【発明の効果】
【０００５】
要するに請求項１に係る発明によれば、家具上の台座の上方で高さ調整手段にて上下位
置が設定された押圧体の天井に対する圧接面の領域を家具の幅方向に長く広げたので、天
井に対する押圧体の圧接力を増大させられ、地震による家具の前倒れのみならず、家具の
横滑りをも防止できるため、家具転倒防止機能を向上できる。
【０００６】
請求項２に係る発明によれば、台座の家具に対する圧接面の領域を家具の幅方向に長く
広げたので、上記と同様に、家具に対する圧接力を増大させられ、家具の前倒れ及び横滑
りをより確実に防止でき、家具転倒防止機能を更に向上できる。
【０００７】
請求項３に係る発明では、押圧体を室内壁面に対向した直立板材から形成したので、設
置状態では押圧体が室内及び家具と調和した壁と見受けられ、室内装飾性を損なうことが
ない。
又、台座と高さ調整手段が、板材から成る押圧体の下方に配置されているため、特に、
丈の長い家具に設置した場合、台座と高さ調整手段が視界に入らず、より一層押圧体が壁
として見受けられる。
【０００８】
請求項４に係る発明では、台座の後端を室内壁面との当接面と成し、該当接面より所定
間隔を設けた前方に押圧体を対応配置したので、家具上において、台座の後端を室内壁面
に当接するだけで、地震時に家具が倒れ難い後方を支持できる様に設置できると共に、室
内壁面に近接した天井の強度の高い部位を押圧体が圧接できるため、家具転倒防止具によ
る家具の支持状態がより確実となり、より一層家具の転倒防止効果を発揮できる。
更に、回り縁を有する家屋であっても、かかる回り縁に干渉しない様に押圧体を高さ調
整できるため、確実に台座の後端を室内壁面に当接できると共に、押圧体の圧接面で天井
を圧接でき、上記効果を発揮できる。
又、特に押圧体が請求項３の板材から成る場合では、室内壁面に近接した家具後方に押
圧体が立設し、その下方の台座と高さ調整手段が家具で遮られ見づらいため、押圧体が恰
も室内壁面と見なされ、家具転倒防止具を設置していない状態と遜色がないものと感取さ
れる。
【０００９】
請求項５に係る発明では、地震時に揺れが激しく撓み易い押圧体における高さ調整手段
との付け根に対応する押圧体の背部を、凸部を介して室内壁面に当接させることにより、
地震の振動による揺れを防止して安定させることができるため、家具転倒防止具の強度向
上を図ることができ、よって家具転倒防止機能をも向上できる。
【００１０】
請求項６に係る発明では、高さ調整手段は、回転操作部の上下に左右反対の螺子を有す
る螺子棒を夫れ突設した操作杆を２本以上設けると共に、該操作杆の各螺子棒を台座と押
圧体の夫れに螺挿して成るので、回転操作部を回転操作するだけで、押圧体を上下動させ
ることができ、回転操作部を台座と押圧体が離間移動する方向に回転させることにより、
押圧体を上動させ、押圧体の圧接面が天井に当接した後、台座と押圧体の圧接面の夫れは
家具と天井を強力に圧接でき、その状態を維持できる等その実用的効果甚だ大である。
【発明を実施するための最良の形態】
【００１１】
以下本発明の実施の形態としての実施例を図面に基づいて説明する。
図１は家具転倒防止具の使用前状態を示す正面図、図２は図１のＡ−Ａ拡大断面図、図
３は家具転倒防止具の使用状態における正面図、図４は図３のＢ−Ｂ拡大断面図、図５は
家具転倒防止具の使用状態を示す図である。
この家具転倒防止具の本体１は、家具Ｋの上面Ｋ１に設置される台座２と、天井Ｃを圧
接可能な押圧体３と、該押圧体３と台座２とを連結すると共に、押圧体３を高さ調整自在
に支持する高さ調整手段４とから構成している。
【００１２】
台座２は、木材、金属、硬質プラスチック等の剛性を有する材質にして、比較的扁平で
家具Ｋの幅方向に長い直方体形状に形成して成り、その底面を家具Ｋの幅方向に長く形成
して家具Ｋに対する圧接面2aと成している。
台座２の圧接面2aは、その全面、又は図示例の様に高さ調整手段４に対応する部位に、
合成ゴム製の薄肉な滑り止め部材５を接着して一体化している。
又、台座２は、その後端を室内壁面Ｗとの当接面2b（以下、後端2bとも称する。）と成
し、該当接面2bより所定の間隔Ｌを設けた前方に押圧体３を対応配置している。
上記間隔Ｌは、高さ調整手段４により押圧体３を上動する時に、押圧体３の圧接面3aが
天井Ｃと室内壁面Ｗとの交わる部位に取付けられた回り縁Ｔに干渉しない様に、少なくと
も回り縁Ｔの肉厚以上に設定（図示例では回り縁Ｔの肉厚に対応）している。
【００１３】
押圧体３は、台座２と同一材質にして、所定肉厚を有すると共に、台座２と同幅な直立
板材から成り、その水平な上面3aを家具Ｋの幅方向に長く形成して天井Ｃに対する圧接面
3aと成しており、台座２の後端2bを室内壁面Ｗに当接させた状態で、押圧体３は上記間隔
Ｌを介して室内壁面Ｗに対向（平行配置）する様に成している。
又、押圧体３の圧接面3aは、その全面に滑り止め部材５を接着して一体化している。
【００１４】
押圧体３において、高さ調整手段４との付け根に対応する背部には、垂直面状の突端面
6aが室内壁面Ｗに当接する凸部６を設けている。
凸部６は、その突出長（奥行きに相当）を上記間隔Ｌに対応させ、押圧体３の幅方向に
長い角材から成り、その高さは、押圧体３を上動させる時に凸部６が回り縁Ｔに突き当た
って圧接面3aが天井Ｃに当接できなくならなければ良い。
尚、凸部６は、その左右端が押圧体３より短いものを図示したが、押圧体３の幅方向全
体に渡って設けても良いし、或いは、凸部６を複数の角塊（ブロック）状と成して、これ
らを押圧体３の上記付け根に対応する背部の幅方向に所定間隔置きに並列配置しても良い
。
又、家具Ｋの上面Ｋ１と天井Ｃとの間隔が短く、凸部６が回り縁Ｔに干渉する場合には
、凸部６を有しない押圧体３を用いる。
この場合、押圧体３自体の丈が短いため地震時の振動の影響が少ないと考えられる。
【００１５】
高さ調整手段４は、スパナ等の治具により回転可能な六角柱状の回転操作部７を設け、
該回転操作部７の上下に左右反対の螺子を有する螺子棒８、９を夫れ突設した操作杆10を
２本以上設けると共に、該操作杆10の各螺子棒８、９を台座２と押圧体３の夫れに螺挿し
ている。
図示例では、操作杆10は台座２と押圧体３における左右の夫れに設けており、台座２と
押圧体３における操作杆10の各螺子棒８、９の各螺挿部位には、螺子棒８、９が出没可能
な収容孔11、12を凹設している。
そして、収容孔11、12の開口部には、螺子棒８、９の夫れに螺合するプレートナット13
のナット部13ａを挿入すると共に、プレートナット13のプレート部13ｂを前記開口部端面
に当接して図示しないビスにて鋲着固定している。
【００１６】
尚、押圧体３及び操作杆10は、家具Ｋの高さ、即ち、その上面Ｋ１と天井Ｃとの間隔に
応じ適宜選択される。
具体的には、一定の面積を有する押圧体３と、長さの異なる複数の操作杆10との組み合
わせによる場合、又は、丈の異なる複数の押圧体３と、一定の長さを有する操作杆10との
組み合わせによる場合が考えられるが、前者の場合、特に操作杆10が長くなると、これが
座屈する場合が想定されるので、操作杆10の本数を増やしたり、大径の螺子棒８、９に変
更せねばならないことや、押圧体３に比し操作杆10が長いと押圧体３が壁として見受けら
れ難いなどの点からすると、後者の様に、一定の長さ及び径の操作杆10を用いて、押圧体
３及び台座２からの螺子棒８、９の突出量を比較的短く設定し、丈の異なる複数の押圧体
３中から上面Ｋ１と天井Ｃとの間隔に適合するものを選択使用するのが、強度や装飾性な
どの点からもより望ましい。
【００１７】
次に他の実施例について図６に基づき説明する。
図６に示す本体１は、押圧体３の形状を変更したものであり、上記と同一又は相当部分
には同じ符号を付し、説明は省略する。
この押圧体３は、断面方形状の金属製の角パイプを略コ字状に屈曲形成したフレームか
ら成り、該フレームは、左右に立ち上がり形成した支柱部14と、該支柱部14の上端間に水
平に横架した梁部15とを設けている。
そして、梁部15の水平な上面の略全面に滑り止め材５を接着一体化して圧接面3aと成し
、又支柱部14の下端に、プレートナット13のナット部13ａを挿入すると共に、支柱部14の
下端面に略対応したプレートナット13のプレート部13ｂを固着している。
又、押圧体３の支柱部14において、高さ調整手段４（操作杆10）との付け根に対応する
背部には、突端面6a（図６では図示せず）が室内壁面Ｗに当接するブロック状の凸部６を
設けている。
【００１８】
次に、上記の様に構成された本体１の設置にあっては、先ず、図１、２の様に、操作杆
10の螺子棒８、９の夫れが台座２及び押圧体３に没入された使用前状態において、本体１
の台座２を家具Ｋの上面Ｋ１後方に載置すると共に、台座２の当接面（後端）2bを家具Ｋ
の上面Ｋ１上に露出する室内壁面Ｗに当接する。
これにより、押圧体３の背部に設けた凸部６の突端面6aも台座２の上方で室内壁面Ｗに
当接し、押圧体３は室内壁面Ｗの前方より間隔Ｌを設けた前方で平行に配置される。
尚、図５において、家具Ｋは、室内壁面Ｗと床Ｆとの交わる部位に取付けられた幅木Ｍ
の厚みに対応した室内壁面Ｗとの間隔を置いて設置した状態を示している。
【００１９】
そして、操作杆10の回転操作部７にスパナ等の治具を使用して台座２と押圧体３を離間
する方向に回転させる。
操作杆10の螺子棒８、９は、相互に反対の左螺子及び右螺子を有すること、並びに操作
杆10は２本以上で台座２と押圧体３を連結していることから、操作杆10の回転に伴って台
座２と押圧体３は回転することもなく、同時に操作杆10の上下の離間方向に移動するが、
台座２は家具Ｋの上面Ｋ１に載置されているので、結果的に押圧体３が上動する。
この時、押圧体３は、室内壁面Ｗより間隔Ｌを隔てた台座２上で上動するため、その可
動中に圧接面3aが回り縁Ｔに接触することはなく、押圧体３の圧接面3aが天井Ｃに確実に
当接する。
又、押圧体３と共に上動する凸部６は、押圧体３の下方に位置し、その上面が回り縁Ｔ
に干渉しない様に設定されているので、押圧体３の上動中及び圧接面3aが天井Ｃを圧接し
た状態においても同様に回り縁Ｔに接触せず、押圧体３の圧接面3aの天井Ｃに対する圧接
を妨げない。
尚、天井と家具Ｋの上面Ｋ１との間隔が短く、押圧体３の上動で凸部６が回り縁Ｔに干
渉する場合には、凸部６を設けていない押圧体３を使用する。
そして、押圧体３の圧接面3aが天井Ｃに当接した後に、更に操作杆10を上記と同方向に
回転させることにより、押圧体３の圧接面3aと台座２の圧接面2aの夫れは天井Ｃ及び家具
Ｋの上面Ｋ１を強力に圧接し、本体１の設置が完了する（図３、４、６参照）。
【００２０】
かかる本体１の設置状態では、台座２は、後端2bが室内壁面Ｗに当接した状態で家具Ｋ
の上面Ｋ１後方を下方へ圧接し、押圧体３は、室内壁面Ｗに近接した天井Ｃの強度の高い
部位を上方へ圧接し、家具Ｋの倒れ難い後方を天井Ｃの強度の高い部位との間で支持する
ため、本体１の安定した家具Ｋの支持状態を確保する。
しかも、台座２及び押圧体３の夫れは、圧接面2a、3aに一体化された滑り止め材５によ
り、天井Ｃ及び家具Ｋの上面Ｋ１との圧接状態を堅固に維持すると共に、その圧接面2a、
3aの領域が家具Ｋの幅方向に長く広げられることで、天井Ｃ及び家具Ｋに対する圧接力を
増大して、地震による家具Ｋの前倒れのみならず、家具Ｋの横滑りをも防止する。
又、地震時に揺れが激しく撓み易い押圧体３における操作杆10との付け根に対応する押
圧体３の背部は、突端面6aが室内壁面Ｗに当接した凸部６で支持れているため、地震の振
動による揺れを防止し、本体１の強度を増し、延いては家具Ｋの支持力を増大させられる
。
そして、図３、４に示す押圧体３が板材から成るものでは、該押圧体３が室内壁面Ｗの
前方に近接して対向配置しているため、押圧体３が室内や家具Ｋと調和した壁と見受けら
れ、見栄えが良い。
【００２１】
尚、上記の各実施例では、台座２の後端を室内壁面Ｗの当接面2bと成したものを示した
が、家具Ｋの配置やその他の諸条件によっては、台座２の後端2bを室内壁面Ｗに当接でき
ない場合も想定される。
この様な場合であっても、台座２の後端2bを室内壁面Ｗに当接しなければ、本体１は家
具Ｋの上面K1に設置可能であり、操作杆10の回転操作によって、押圧体３の圧接面3aと台
座２の圧接面2aの夫れは天井Ｃ及び家具Ｋの上面Ｋ１を強力に圧接することには変わりが
ないので、必ずしも台座２の後端を室内壁面Ｗの当接面2bと成すことに限定されない。
但し、かかる場合には、押圧体３の背部に設けた凸部６は、その突端面6aが室内壁面Ｗ
に当接できる様に延設する必要がある。
【図面の簡単な説明】
【００２２】
【図１】家具転倒防止具の使用前状態を示す正面図である。
【図２】図１のＡ−Ａ拡大断面図である。
【図３】家具転倒防止具の使用状態における正面図である。
【図４】図３のＢ−Ｂ拡大断面図である。
【図５】家具転倒防止具の使用状態を示す図である。
【図６】他の実施例の使用状態における正面図である。
【符号の説明】
【００２３】
２    台座
2a    圧接面
2b    当接面
３    押圧体
3a    圧接面
４    高さ調整手段
６    凸部
７    回転操作部
８    螺子棒
９    螺子棒
10    操作杆
Ｃ    天井
Ｋ    家具
Ｋ１  上面
Ｗ    室内壁面
【図１】
2007007237.tif 000003
【図２】
2007007237.tif 000004
【図３】
2007007237.tif 000005
【図４】
2007007237.tif 000006
【図５】
2007007237.tif 000007
【図６】
2007007237.tif 000008